(57)【要約】【課題】本発明は、コンピュータシステム及びそのコンピュータシステムの操作方法を提供する。【解決手段】インターフェース操作方法は、入力を受信する（Ｓ２１０）ことと、前記入力が第一の操作又は第二の操作に適合するか否か判断する（Ｓ２２０）ことと、入力が第一の操作に適合する時、配列順序に基づき、現在の機能性インターフェースを複数の機能性インターフェースの別の機能性インターフェースに切り換える（Ｓ２３０）、又は、入力が第二の操作に適合する時、現在の機能性インターフェースの複数のメッセージ領域のうちの一つを選択する（Ｓ２４０）ことと、を含む。【選択図】図２
2019197547.tif 000002
【特許請求の範囲】
【請求項１】
入力装置及び表示装置を含み、複数の機能性インターフェースを提供するコンピュータシステムに用いられるインターフェース操作方法であって、前記表示装置は、前記複数の機能性インターフェースの現在の機能性インターフェースを表示するのに用いられ、前記複数の機能性インターフェースは、配列順序を有し、且つ、前記各機能性インターフェースは、複数のメッセージ領域を含み、前記インターフェース操作方法は、
前記入力装置によって入力を受信することと、
前記入力が第一の操作又は第二の操作に適合するか否か判断することと、
前記入力が前記第一の操作に適合する時、前記配列順序に基づき、前記現在の機能性インターフェースを前記複数の機能性インターフェースの別の機能性インターフェースに切り換える、又は、前記入力が前記第二の操作に適合する時、前記現在の機能性インターフェースの前記複数のメッセージ領域のうちの一つを選択することと、を含む、インターフェース操作方法。
【請求項２】
前記入力は、前記入力装置を押す、又は前記入力装置をドラッグすることで発生する、請求項１に記載のインターフェース操作方法。
【請求項３】
前記第一の操作は、前記入力装置の第一の特定ボタンの組み合わせを押すこと、又は前記入力装置により発生した第一の特定トラックをドラッグすることであり、前記第一の特定ボタンの組み合わせは、前記入力装置の少なくとも一つのボタンを含む、請求項２に記載のインターフェース操作方法。
【請求項４】
前記第二の操作は、前記入力装置の第二の特定ボタンの組み合わせを押すこと、又は前記入力装置により発生した第二の特定トラックをドラッグすることであり、前記第二の特定ボタンの組み合わせは、前記入力装置の少なくとも一つのボタンを含む、請求項２に記載のインターフェース操作方法。
【請求項５】
前記現在の機能性インターフェースの前記複数のメッセージ領域は、第一のメッセージ領域群及び第二のメッセージ領域群に分けられ、前記入力が前記第二の操作に適合する時、前記現在の機能性インターフェースの前記複数のメッセージ領域のうちの一つを選択するステップは、
前記入力が第三の操作に適合する時、前記第一のメッセージ領域群のうちの一つのメッセージ領域を選択する、又は、前記入力が第四の操作に適合する時、前記第二のメッセージ領域群のうちの一つのメッセージ領域を選択することを含み、前記第三の操作は、前記入力装置の第三の特定ボタンの組み合わせを押すこと、又は前記入力装置により発生した第三の特定トラックをドラッグすることであり、前記第四の操作は、前記入力装置の第四の特定ボタンの組み合わせを押すこと、又は前記入力装置により発生した第四の特定トラックをドラッグすることである、請求項１に記載のインターフェース操作方法。
【請求項６】
前記各機能性インターフェースの前記複数のメッセージ領域の少なくとも一つは、操作オプションを含む、請求項１に記載のインターフェース操作方法。
【請求項７】
変更操作を受信することと
前記変更操作に基づき、前記操作オプションを変更することと、を更に含み、
前記変更操作は、前記入力装置の特定の変更ボタンの組み合わせを押すこと、又は前記入力装置により発生した特定の変更トラックをドラッグすることである、請求項６に記載のインターフェース操作方法。
【請求項８】
複数の機能性インターフェースを提供するのに用いられるコンピュータシステムであって、且つ、前記複数の機能性インターフェースは、配列順序を有し、且つ、前記各機能性インターフェースは、複数のメッセージ領域を含み、前記コンピュータシステムは、
前記複数の機能性インターフェースの現在の機能性インターフェースを表示するのに用いられる表示装置と、
入力を受信するのに用いられる入力装置と、
前記入力が第一の操作又は第二の操作に適合するか否か判断し、
前記入力が前記第一の操作に適合する時、前記配列順序に基づき、前記現在の機能性インターフェースを前記複数の機能性インターフェースの別の機能性インターフェースに切り換える、又は、前記入力が前記第二の操作に適合する時、前記現在の機能性インターフェースの前記複数のメッセージ領域のうちの一つを選択するプロセッサと、を含むコンピュータシステム。
【請求項９】
前記入力は、前記入力装置を押す、又は前記入力装置をドラッグすることで発生する、請求項８に記載のコンピュータシステム。
【請求項１０】
前記第一の操作は、前記入力装置の第一の特定ボタンの組み合わせを押すこと、又は前記入力装置により発生した第一の特定トラックをドラッグすることであり、前記第一の特定ボタンの組み合わせは、前記入力装置の少なくとも一つのボタンを含む、請求項９に記載のコンピュータシステム。
【請求項１１】
前記第二の操作は、前記入力装置の第二の特定ボタンの組み合わせを押すこと、又は前記入力装置により発生した第二の特定トラックをドラッグすることであり、前記第二の特定ボタンの組み合わせは、前記入力装置の少なくとも一つのボタンを含む、請求項９に記載のコンピュータシステム。
【請求項１２】
前記現在の機能性インターフェースの前記複数のメッセージ領域は、第一のメッセージ領域群及び第二のメッセージ領域群に分けられ、前記プロセッサは、前記入力が第三の操作に適合する時、前記第一のメッセージ領域群のうちの一つのメッセージ領域を選択する、又は、前記入力が第四の操作に適合する時、前記第二のメッセージ領域群のうちの一つのメッセージ領域を選択し、前記第三の操作は、前記入力装置の第三の特定ボタンの組み合わせを押すこと、又は前記入力装置により発生した第三の特定トラックをドラッグすることであり、前記第四の操作は、前記入力装置の第四の特定ボタンの組み合わせを押すこと、又は前記入力装置により発生した第四の特定トラックをドラッグすることである、請求項８に記載のコンピュータシステム。
【請求項１３】
前記各機能性インターフェースの前記複数のメッセージ領域の少なくとも一つは、操作オプションを含む、請求項８に記載のコンピュータシステム。
【請求項１４】
前記プロセッサは、更に、
変更操作を受信し、
前記変更操作に基づき、前記操作オプションを変更し、
前記変更操作は、前記入力装置の特定の変更ボタンの組み合わせを押すこと、又は前記入力装置により発生した特定の変更トラックをドラッグすることである、請求項１３に記載のコンピュータシステム。
【発明の詳細な説明】
【技術分野】
【０００１】
本発明は、コンピュータシステム及びその操作方法に関する。特に、複数の機能性インターフェースを速く直感的に操作するコンピュータシステム及びその操作方法に関する。
【背景技術】
【０００２】
既存の測定装置、製造装置及び監視装置において、大部分は、表示装置の表示空間を複数の機能性インターフェースに分割している。機能性インターフェースのメッセージ領域も機能性インターフェースの表示空間を占用している。十分な大面積又は優れた解像度の表示装置は、全ての機能性インターフェース及び全ての機能性インターフェースのメッセージ領域を明確に表示できる。反対に、小面積又は低い解像度の表示装置は、全ての機能性インターフェース及び全ての機能性インターフェースのメッセージ領域を明確に表示するのは容易ではない。
【０００３】
また、既存の測定装置、製造装置及び監視装置において、大部分は、大量の操作ボタンによって操作する、及び／又はカーソルによってスクリーン上の複数の機能性インターフェースを操作する。このように、オペレーターは、複数の機能性インターフェースを速く直感的に操作することができない。
【発明の概要】
【発明が解決しようとする課題】
【０００４】
本発明は、複数の機能性インターフェースを速く直感的に操作することができるコンピュータシステム及びその操作方法を提供する。
【課題を解決するための手段】
【０００５】
本発明のインターフェース操作方法は、入力装置及び表示装置を含み、複数の機能性インターフェースを提供するコンピュータシステムに用いられ、表示装置は、複数の機能性インターフェースの現在の機能性インターフェースを表示するのに用いられ、複数の機能性インターフェースは、配列順序を有し、且つ、各機能性インターフェースは、複数のメッセージ領域を含む。インターフェース操作方法は、複数の機能性インターフェースを提供することと、入力装置によって入力を受信することと、入力が第一の操作又は第二の操作に適合するか否か判断することと、入力が第一の操作に適合する時、配列順序に基づき、現在の機能性インターフェースを複数の機能性インターフェースの別の機能性インターフェースに切り換える、又は、入力が第二の操作に適合する時、現在の機能性インターフェースの複数のメッセージ領域のうちの一つを選択する。
【０００６】
本発明のコンピュータシステムは、複数の機能性インターフェースを提供するのに用いられ、且つ、複数の機能性インターフェースは、配列順序を有し、且つ、各機能性インターフェースは、複数のメッセージ領域を含み、コンピュータシステムは、表示装置、入力装置及びプロセッサを含む。表示装置は、複数の機能性インターフェースの現在の機能性インターフェースを表示するのに用いられる。入力装置は、入力を受信するのに用いられる。プロセッサは、入力が第一の操作又は第二の操作に適合するか否か判断するのに用いられる。プロセッサは、入力が第一の操作に適合すると判断する時、配列順序に基づき、現在の機能性インターフェースを複数の機能性インターフェースの別の機能性インターフェースに切り換える、又は、プロセッサは、入力が第二の操作に適合すると判断する時、現在の機能性インターフェースの複数のメッセージ領域のうちの一つを選択する。
【発明の効果】
【０００７】
上述に基づき、本発明は、入力が第一の操作又は第二の操作に適合するか否か判断し、入力が第一の操作に適合する時、配列順序に基づき、現在の機能性インターフェースを複数の機能性インターフェースの別の機能性インターフェースに切り換える。入力が第二の操作に適合する時、現在の機能性インターフェースの複数のメッセージ領域のうちの一つを選択する。このようにして、複数の機能性インターフェースを速く直感的に操作することができる。
【図面の簡単な説明】
【０００８】
本発明の上述した特徴と利点を更に明確化するために、以下に、実施例を挙げて図面と共に詳細な内容を説明する。
【図１】本発明の実施形態により図示されるコンピュータシステムの概略図である。
【図２】本発明の実施形態により図示されるインターフェース操作方法の方法フロー図である。
【図３Ａ】本発明の実施形態により図示される多個機能性インターフェースの配列順序の概略図である。
【図３Ｂ】本発明の実施形態により図示される機能性インターフェース操作概略図である。
【図３Ｃ】本発明の実施形態により図示される機能性インターフェース操作概略図である。
【図３Ｄ】本発明の実施形態により図示される機能性インターフェース操作概略図である。
【図４】本発明の別の実施形態により図示されるインターフェース操作方法の方法フロー図である。
【図５Ａ】本発明の別の実施形態により図示される機能性インターフェースの概略図である。
【図５Ｂ】本発明の別の実施形態により図示される機能性インターフェースの概略図である。
【図６】本発明の更に別の実施形態により図示されるインターフェース操作方法の方法フロー図である。
【図７】本発明の更に別の実施形態により図示される機能性インターフェース操作概略図である。
【発明を実施するための形態】
【０００９】
図１を参照すると、図１は、本発明の実施形態により図示されるコンピュータシステムの概略図である。図１のコンピュータシステム１００は、複数の機能性インターフェースを提供するのに用いられる。複数の機能性インターフェースは、配列順序を有する。各機能性インターフェースは、少なくとも一つのメッセージ領域を有する。本実施形態において、複数の機能性インターフェースは、コンピュータシステム１００にプリセットされてもよいが、本発明はこれに限定しない。他の実施形態において、機能性インターフェースは、ユーザーがコンピュータシステム１００の操作により追加してもよい。コンピュータシステム１００は、表示装置１１０、入力装置１２０及びプロセッサ１３０を含む。表示装置１１０は、複数の機能性インターフェースの現在の機能性インターフェースを表示するのに用いられる。即ち、表示装置１１０は、複数の機能性インターフェースのうちの一つを表示するのに用いられる。表示装置１１０は、例えば、液晶ディスプレイ（ｌｉｑｕｉｄ  ｃｒｙｓｔａｌ  ｄｉｓｐｌａｙ，ＬＣＤ）、発光ダイオード（ｌｉｇｈｔ−ｅｍｉｔｔｉｎｇ  ｄｉｏｄｅ，ＬＥＤ）、電界放出ディスプレイ（ｆｉｅｌｄ  ｅｍｉｓｓｉｏｎ  ｄｉｓｐｌａｙ，ＦＥＤ）、有機発光ダイオード（Ｏｒｇａｎｉｃ  Ｌｉｇｈｔ−Ｅｍｉｔｔｉｎｇ  Ｄｉｏｄｅ，ＯＬＥＤ）、アクティブマトリクス有機発光ダイオード（Ａｃｔｉｖｅ−Ｍａｔｒｉｘ  Ｏｒｇａｎｉｃ  Ｌｉｇｈｔ−Ｅｍｉｔｔｉｎｇ  Ｄｉｏｄｅ，ＡＭＯＬＥＤ）、フレキシブルディスプレイ（Ｆｌｅｘｉｂｌｅ  ｄｉｓｐｌａｙ）、透明発光ダイオードディスプレイ（Ｔｒａｎｓｐａｒｅｎｔ  ｌｉｇｈｔ  ｅｍｉｔｔｅｄ  ｄｉｏｄｅ  ｄｉｓｐｌａｙ）等の機能性インターフェースを表示できる表示装置であってもよい。
【００１０】
入力装置１２０は、例えば、キーボード、マウス、又はタッチパッド（Ｔｏｕｃｈｐａｄ）、トラックボール（Ｔｒａｃｋｂａｌｌ）等の入力ツールであってもよい。入力装置１２０がキーボードである時、入力は、入力装置１２０のボタンを押すことで発生する。入力装置１２０が、タッチパッド又はトラックボールである時、入力は、入力装置１２０をタッチ又はドラッグすることで発生する。入力装置１２０がマウスである時、入力は、入力装置１２０の左ボタン／右ボタンを押すことで発生する。
【００１１】
プロセッサ１３０は、表示装置１１０と入力装置１２０の間に結合される。プロセッサ１３０は、入力装置１２０によって入力を受信し、入力が第一の操作に適合するか否か判断するのに用いられる。本発明の実施形態において、第一の操作は、入力装置１２０の第一の特定ボタンの組み合わせを押すことであってもよい。例を挙げると、特定ボタンの組み合わせを押す動作は、一つのボタンを押すこと、同時に複数のボタンを押すこと、又は、第一のボタンを押した後、特定の時間内に第二のボタンを続けて押すことである。第一の操作は、入力装置１２０により発生した第一の特定トラック（例えば、左から右へのドラッグ方向）であってもよい。対照的に、第二の操作は、入力装置１２０の第二の特定ボタンの組み合わせを押すこと、又は入力装置により発生した特定トラックをドラッグすることである。入力が第一の操作に適合する時、プロセッサ１３０は、配列順序に基づき、現在の機能性インターフェースを複数の機能性インターフェースの別の機能性インターフェースに切り換える、又は、入力が第二の操作に適合する時、プロセッサ１３０は、現在の機能性インターフェースの複数のメッセージ領域のうちの一つを選択する。プロセッサ１３０は、例えば、中央処理装置（Ｃｅｎｔｒａｌ  Ｐｒｏｃｅｓｓｉｎｇ  Ｕｎｉｔ，ＣＰＵ）、又は、その他のプログラマブル一般用途、又は特殊用途のマイクロプロセッサ（Ｍｉｃｒｏｐｒｏｃｅｓｓｏｒ）、デジタル信号プロセッサ（Ｄｉｇｉｔａｌ  Ｓｉｇｎａｌ  Ｐｒｏｃｅｓｓｏｒ，ＤＳＰ）、プログラマブルコントローラ、特定用途向け集積回路（Ａｐｐｌｉｃａｔｉｏｎ  Ｓｐｅｃｉｆｉｃ  Ｉｎｔｅｇｒａｔｅｄ  Ｃｉｒｃｕｉｔｓ，ＡＳＩＣ）、プログラマブルロジックデバイス（Ｐｒｏｇｒａｍｍａｂｌｅ  Ｌｏｇｉｃ  Ｄｅｖｉｃｅ，ＰＬＤ）又はその他の類似のデバイス若しくはこれらのデバイスの組み合わせであってもよく、コンピュータプログラムを読み込んで実行できる。
【００１２】
図１及び図２を同時に参照すると、図２は、本発明の実施形態により図示されるインターフェース操作方法の方法フロー図である。本実施形態において、プロセッサ１３０は、ステップＳ２１０において、入力装置１２０によって入力を受信し、ステップＳ２２０において、入力がプリセットした第一の操作又は第二の操作に適合するか否か判断する。入力が第一の操作（例えば、入力装置１２０の右ボタンを押すこと）に適合する場合、ステップＳ２３０に入る。ステップＳ２３０において、複数の機能性インターフェースの配列順序に基づき、表示装置１１０に表示されている現在の機能性インターフェースを別の機能性インターフェースに切り換え、切り換えられた機能性インターフェースを新たな現在の機能性インターフェースとする。ステップＳ２２０において、プロセッサ１３０は、入力が第二の操作の適合すると判断する場合、ステップＳ２４０に入る。ステップＳ２４０において、第二の操作に基づき、現在の機能性インターフェースを表示するそのうちの一つのメッセージ領域を選択する。ステップＳ２２０において、入力が第一の操作又は第二の操作に適合しない場合、ステップＳ２１０に戻る。
【００１３】
更なる説明として、図１、図２及び図３Ａを同時に参照すると、図３Ａは、本発明の実施形態により図示される複数の機能性インターフェースの配列順序の概略図である。図１及び図３Ａの実施形態において、コンピュータシステム１００は、機能性インターフェース３１０〜３５０を提供することができる。図３Ａに示すように、機能性インターフェース３１０〜３５０は、配列順序を有する。例を挙げると、機能性インターフェース３１０〜３３０は、方向Ｄ３に沿って配列し、機能性インターフェース３２０、３４０、３５０は、方向Ｄ１に沿って配列する。機能性インターフェース３１０内にメッセージ領域３１０ａ〜３１０ｄを含む。機能性インターフェース３２０内にメッセージ領域３２０ａ〜３２０ｃを含む。機能性インターフェース３３０内にメッセージ領域３３０ａ、３３０ｂを含む。機能性インターフェース３４０内にメッセージ領域３４０ａ〜３４０ｃを含む。機能性インターフェース３５０内にメッセージ領域３５０ａを含む。メッセージ領域３１０ａ〜３５０ａは、それぞれ機能性インターフェース３１０〜３３０の機能設定領域又は情報通知領域である。メッセージ領域３１０ａ〜３５０ａは、互いに重ならない。本実施形態において、メッセージ領域３１０ａ〜３５０ａの少なくとも二つのメッセージ領域は同じであってもよく、これは、機能性インターフェース３１０〜３５０が部分的に同じ機能設定領域又は情報通知領域を提供することができることを表す。本発明は、実施形態の機能性インターフェース及びメッセージ領域の数を限定しない。注意すべきこととして、図３Ａは、機能性インターフェース３１０〜３５０の配列順序の概略図でしかない。機能性インターフェース３１０〜３５０は、表示装置１１０に同時に表示されず、ユーザーの入力順に基づき、表示装置１１０に表示される。
【００１４】
図３Ｂ〜３Ｄを参照すると、図３Ｂ〜図３Ｄは、それぞれ本発明の実施形態により図示される機能性インターフェース操作概略図である。本実施形態において、入力装置１２０は、ボタン３６１〜３６４を含んでもよい。入力は、ボタン３６１〜３６４の少なくともそのうち一つを押すことで発生するワンボタン入力である。ボタン３６１〜３６４は、既存の測定装置、製造装置及び監視装置の任意の仮想ボタン又は物理ボタンであってもよいが、本発明は、本実施形態に限定しない。
【００１５】
本実施形態において、第一の操作は、例えば、ボタン３６１を押すことで方向Ｄ１の配列順序に基づき、機能性インターフェース３２０、３４０、３５０を表示装置１１０に表示し、ボタン３６２を押すことで方向Ｄ３の配列順序に基づき、機能性インターフェース３１０〜３３０を表示装置１１０に表示することができる。また、第二の操作は、例えば、ボタン３６２を押すことで現在の機能性インターフェースのメッセージ領域を選択することができる。
【００１６】
プロセッサ１３０は、ステップＳ２１０において、入力装置１２０によって入力を受信し、ステップＳ２２０において、入力が第一の操作又は第二の操作に適合するか否か判断する。入力がボタン３６１を押すことである時、プロセッサ１３０は、この入力が第一の操作に適合すると判断して、ステップＳ２３０に入る。プロセッサ１３０は、ステップＳ２３０において、方向Ｄ１の配列順序に基づき、機能性インターフェース３２０、３４０、３５０を配列順序に基づき、表示装置１１０に表示する。例を挙げると、ユーザーがボタン３６１を押すと、表示装置１１０に元々表示されていた現在の機能性インターフェース３２０（図３Ｂに図示）は、機能性インターフェース３４０に切り換えられ、機能性インターフェース３４０を現在の機能性インターフェース（図３Ｃに図示）とする。ユーザーがボタン３６１をもう一度押すと、表示装置１１０に元々表示されていた現在の機能性インターフェース３４０は、機能性インターフェース３５０に切り換えられ、機能性インターフェース３５０を現在の機能性インターフェース（図３Ｄに図示）とする。ユーザーは、ボタン３６１を押すことで機能性インターフェース３２０、３４０、３５０を方向Ｄ１の配列順序に基づき、表示装置１１０に表示させることができる。同様に、ユーザーは、ボタン３６２を押すことで機能性インターフェース３１０、３２０、３３０を方向Ｄ３の配列順序に基づき、表示装置１１０に表示させることができる。
【００１７】
他の実施形態において、ユーザーは、例えば、タッチパッド又はトラックボールをドラッグして発生した第一の特定トラックによって、機能性インターフェース３２０、３４０、３５０を方向Ｄ１の配列順序に基づき、表示装置１１０に表示させることができる。ユーザーは、別の第一の特定トラックによって機能性インターフェース３１０、３２０、３３０を方向Ｄ３の配列順序に基づき、表示装置１１０に表示させることもできる。
【００１８】
他の実施形態において、ユーザーは、例えば、マウスの左ボタン又は右ボタンを押すことで、又はマウスをドラッグして発生した第一の特定トラックによって、機能性インターフェース３２０、３４０、３５０を方向Ｄ１の配列順序に基づき、表示装置１１０に表示させることができる。ユーザーは、マウスをドラッグして発生した別の第一の特定トラックによって、機能性インターフェース３１０、３２０、３３０を方向Ｄ３の配列順序に基づき、表示装置１１０に表示させることもできる。
【００１９】
入力がボタン３６２を押して発生したワンボタン入力である時、プロセッサ１３０は、入力が第二の操作に適合すると判断してステップＳ２４０に入る。プロセッサ１３０は、ステップＳ２４０において、第二の操作に基づき、表示装置１１０に表示されている機能性インターフェースのメッセージ領域を選択する。例を挙げると、ユーザーがボタン３６２を押すと、機能性インターフェース３２０のメッセージ領域３２０ａ〜３２０ｃを選択することができる。他の実施形態において、ユーザーは、例えば、タッチパッド又はトラックボールにより発生した第二の特定トラックの入力によりメッセージ領域３２０ａ〜３２０ｃを選択することができる。他の実施形態において、ユーザーは、例えば、マウスにより発生する左ボタン又は右ボタンにより入力する第二のワンボタン入力又は第二のワンスライドトラック入力により、メッセージ領域３２０ａ〜３２０ｃを順番に選択することができる。ユーザーは、それぞれ第一の操作及び第二の操作に適合する入力だけによって機能性インターフェース３１０〜３５０のメッセージ領域３１０ａ〜３５０ａを選択することができる。このようにして、ユーザーは、複数の機能性インターフェースを速く直感的に操作することができる。
【００２０】
本実施形態において、入力がその他のボタンを押して発生するワンボタン入力である時、プロセッサ１３０は、ステップＳ２２０において、この入力が第一の操作又は第二の操作に適合しないと判断してステップＳ２１０に入る。
【００２１】
本実施形態において、新たな操作が設定されてもよい。例えば、新たな操作は、その他のボタン（例えば、ボタン３６４）を押すことで機能性インターフェース３２０、３４０、３５０を方向Ｄ３の配列順序に基づき、表示装置１１０に表示させる、又は機能性インターフェース３１０〜３３０を方向Ｄ４の配列順序に基づき、表示装置１１０に表示させることができる。ユーザーは、例えば、新たな操作により、表示装置１１０に元々表示されていた現在の機能性インターフェース３５０を機能性インターフェース３４０に戻すことができる。
【００２２】
これらの実施形態において、第一の操作は、例えば、ボタン３６１、３６２を同時に押すことで機能性インターフェース３２０、３４０、３５０を方向Ｄ１の配列順序に基づき、表示装置１１０に表示させることができ、ボタン３６３、３６４を同時に押すことで機能性インターフェース３１０、３２０、３３０を方向Ｄ３の配列順序に基づき、表示装置１１０に表示させることができる。これらの実施形態において、第二の操作は、例えば、ボタン３６３、３６４を同時に押すことで現在の機能性インターフェースのメッセージ領域（機能性インターフェース３２０のメッセージ領域３２０ａ〜３２０ｃ）を選択することができる。
【００２３】
図４は、本発明の別の実施形態により図示されるインターフェース操作方法の方法フロー図である。図５Ａ及び図５Ｂは、それぞれ本発明の別の実施形態により図示される機能性インターフェースの概略図である。図１、図４及び図５Ａ及び図５Ｂの実施形態において、機能性インターフェース５１０及び５２０の複数のメッセージ領域は、第一のメッセージ領域群及び第二のメッセージ領域群に分けられる。例を挙げると、機能性インターフェース５１０は、第一のメッセージ領域群５１２及び第二のメッセージ領域群５１４を含み、第一のメッセージ領域群５１２は、メッセージ領域５１２ａ〜５１２ｃを含み、第二のメッセージ領域群５１４は、メッセージ領域５１４ａ及び５１４ｂを含む。機能性インターフェース５２０は、第一のメッセージ領域群５２２及び第二のメッセージ領域群５２４を含み、第一のメッセージ領域群５２２は、メッセージ領域５２２ａ及び５２２ｂを含み、第二のメッセージ領域群５２４は、メッセージ領域５２４ａを含む。
【００２４】
本実施形態において、第二の操作は、更に第三の操作及び第四の操作に分けてもよい。機能性インターフェース５１０が現在の機能性インターフェースであることを例とすると、第三の操作は、入力装置１２０の第三の特定ボタンの組み合わせを押すこと、又は当該入力装置１２０により発生した第三の特定トラックをドラッグすることで、第一のメッセージ領域群５１２のメッセージ領域５１２ａ、５１２ｂ及び５１２ｃのうちの一つを選択することができる。第四の操作は、入力装置１２０の第四の特定ボタンの組み合わせを押すこと、又は当該入力装置１２０により発生した第四の特定トラックをドラッグすることで、第二のメッセージ領域群５１４のメッセージ領域５１４ａ、５１４ｂのうちの一つを選択することができる。
【００２５】
例を挙げると、プロセッサ１３０は、ステップＳ４１０において、入力装置１２０によって入力を受信し、ステップＳ４２０において、入力がプリセットした第一の操作又は第二の操作に適合するか否か判断する。入力がボタン３６１を押すことである時、プロセッサ１３０は、この入力が第一の操作に適合すると判断して、ステップＳ４３０に入る。プロセッサ１３０は、ステップＳ４３０において、方向Ｄ１〜Ｄ４のうちの一つの配列順序に基づき、機能性インターフェース３１０〜３５０を表示装置１１０に表示させる。機能性インターフェース５１０が現在の機能性インターフェースであることを例とすると、入力がボタン３６２又は３６４を押すことである時、プロセッサ１３０は、この入力が第二の操作に適合することができると判断し、この入力が第三の操作又は第四の操作（ステップＳ４４０）であるか否か更に判断する。プロセッサ１３０は、ステップＳ４５０において、第三の操作に基づき、第一のメッセージ領域群５１２のメッセージ領域５１２ａ、５１２ｂ及び５１２ｃのうちの一つを選択する。プロセッサ１３０は、ステップＳ４６０において、第四の操作に基づき、第二のメッセージ領域群５１４のメッセージ領域５１４ａ、５１４ｂのうちの一つを選択する。このようにして、複数のメッセージ領域を複数のメッセージ領域群に分けることで、ユーザーに、メッセージ領域を更に速く選択させることができる。
【００２６】
本実施形態において、入力がその他のボタンを押して発生するワンボタン入力である時、プロセッサ１３０は、ステップＳ４２０、Ｓ４４０において、この入力が第一の操作、第二の操作、第三の操作又は第四の操作に適合しないと判断して、ステップＳ４１０に入る。
【００２７】
図１、図６を参照すると、図６は、本発明の更に別の実施形態により図示されるインターフェース操作方法の方法フロー図である。図６が図２と異なることは、図６のインターフェース操作方法は、プロセッサ１３０は、ステップＳ６２０において、入力が変更操作に適合するか否かを判断することを更に含むことである。本実施形態における変更操作は、当該入力装置１２０の特定の変更ボタンの組み合わせを押すこと、又は当該入力装置により発生した特定の変更トラックをドラッグすることで、メッセージ領域の操作オプションを変更する。
【００２８】
プロセッサ１３０は、ステップＳ６１０において、入力装置１２０によって入力を受信し、ステップＳ６２０において、入力が第一の操作、第二の操作又は変更操作に適合するか否か判断する。プロセッサ１３０は、入力が変更操作に適合すると判断する時、ステップＳ６５０において、変更操作に基づき、メッセージ領域の操作オプションを変更することができる。
【００２９】
ここで、例を挙げて説明する。図１、図６及び図７を同時に参照すると、図７は、本発明の更に別の実施形態により図示される機能性インターフェース操作概略図である。本実施形態において、図７のメッセージ領域７１０ｃは、一つの操作オプション７１２ｃを含み、入力装置１２０は、ボタン３６１〜３６４、８６５、８６６を含む。メッセージ領域７１０ｃは、第一の操作、第二の操作を介して選択される。メッセージ領域７１０ｃが対応する機能設定に、プリセットが完了した複数の設定パラメータを有する。操作オプション７１２ｃは、複数の設定パラメータの選択された設定パラメータを表示するのに用いられる。選択された設定パラメータは、実行中又は実行される予定の設定パラメータである。本実施形態において、第三の操作は、例えば、一つのボタン８６６を押すことで、操作オプション７１２ｃを順番に変更することができる。プロセッサ１３０は、少なくともステップＳ６１０〜Ｓ６４０によって第一の操作、第二の操作に基づきメッセージ領域７１０ｃを選択することができる。次いで、入力がボタン８６６を押すことで発生したワンボタン入力である時、プロセッサ１３０は、ステップＳ４４０において、この入力が第三の操作に適合できると判断でき、プロセッサ１３０は、ステップＳ４５０において、第三の操作に基づき、メッセージ領域７１０ｃの操作オプション７１２ｃを選択し、ステップＳ６５０において、選択された設定パラメータを変更することができる。別の例を挙げると、メッセージ領域７１０ｃは、製造装置の「加熱時間」の設定領域であり、操作オプション７１２ｃが表示する設定パラメータは、「加熱時間」である。操作オプション７１２ｃの現在表示されている選択された設定パラメータは「６０秒」である。ユーザーがボタン８６６を押すと、元々選択された設定パラメータの「６０秒」を「６１秒」に変更する。ユーザーがボタン８６６を押すと、選択された設定パラメータ「６１秒」を「６２秒」に変更する。他の実施形態において、ユーザーは、例えば、タッチパッド又はトラックボールにより発生した第三のワンタッチトラック入力により、選択されたメッセージ領域７１０ｃの操作オプション７１２ｃを変更することができる。他の実施形態において、ユーザーは、例えば、マウスにより発生した第三のワンボタン入力、又は第三のワンスライドトラック入力により、メッセージ領域７１０ｃの操作オプション７１２ｃを変更することができる。
【００３０】
ユーザーは、それぞれ第一の操作及び第二の操作に適合する入力だけによって複数の機能性インターフェースの複数のメッセージ領域を選択することができ、それぞれ第三の操作に適合する入力だけによって選択されたメッセージ領域の操作オプションを変更することができる。このようにして、ユーザーは、複数の機能性インターフェースを速く直感的に操作することができる。
【００３１】
本実施形態において、新たな操作が設定されてもよい。再び、図１、図６及び図７を同時に参照すると、例えば、新たな操作は、一つのボタン８６５を押すことで、第三の操作とは反対に、操作オプション７１２ｃに表示されている選択された設定パラメータ「６１秒」を「６０秒」に変更することができる。ユーザーは、ボタン８６５をもう一度押すと、操作オプション７１２ｃに表示されている選択された設定パラメータ「６０秒」を「５９秒」に変更することができる。その他の実施形態において、その他の操作は設定されてもよい。ユーザーがボタン８６６を押すと、操作オプション７１２ｃの選択された設定パラメータ「６０秒」を「７０秒」に変更することができる。ユーザーは、ボタン８６６をもう一度押すと、操作オプション７１２ｃに表示されている選択された設定パラメータ「７０秒」を「８０秒」に変更することができる。
【００３２】
以上より、本発明は、入力が第一の操作又は第二の操作に適合するか否か判断し、入力が第一の操作に適合する時、配列順序に基づき、機能性インターフェースを切り換え、入力が第二の操作に適合する時、第二の操作順序に基づき、表示装置に表示されている現在の機能性インターフェースの複数のメッセージ領域のうちの一つを選択する。このようにして、ユーザーは、本発明によって複数の機能性インターフェースを速く直感的に操作することができる。これ以外に、本発明は、複数のメッセージ領域を複数のメッセージ領域群に分けて、これによりユーザーに更に速くメッセージ領域を選択させることができる。
【００３３】
本文は以上の実施例のように示したが、本発明を限定するためのものではなく、当業者が本発明の精神の範囲から逸脱しない範囲において、変更又は修正することが可能であるが故に、本発明の保護範囲は後続の特許請求の範囲に定義しているものを基準とする。
【産業上の利用可能性】
【００３４】
本発明は、複数の機能性インターフェースを速く直感的に操作することができるコンピュータシステム及びその操作方法を提供する。
【符号の説明】
【００３５】
１００：コンピュータシステム
１１０：表示装置
１２０：入力装置
１３０：プロセッサ
３１０〜３５０、５１０、５２０：機能性インターフェース
３１０ａ〜３１０ｄ、３２０ａ〜３２０ｃ、３３０ａ、３３０ｂ、３４０ａ〜３４０ｃ、３５０ａ、５１２ａ〜５１２ｃ、５１４ａ、５１４ｂ、５２２ａ、５２２ｂ、５２４ａ、７１０ｃ：メッセージ領域
３６１〜３６４、８６５、８６６：ボタン
５１２、５１４、５２２、５２４：メッセージ領域群
７１２ｃ：操作オプション
【図１】
2019197547.tif 000003
【図２】
2019197547.tif 000004
【図３Ａ】
2019197547.tif 000005
【図３Ｂ】
2019197547.tif 000006
【図３Ｃ】
2019197547.tif 000007
【図３Ｄ】
2019197547.tif 000008
【図４】
2019197547.tif 000009
【図５Ａ】
2019197547.tif 000010
【図５Ｂ】
2019197547.tif 000011
【図６】
2019197547.tif 000012
【図７】
2019197547.tif 000013